(57)【特許請求の範囲】
【請求項１】
周期的運動出力部材（４）を備えたモータ（３）と、切断ブレード（６）を支持するように構成されたブレードホルダ（５）と、運動出力部材（４）とブレードホルダ（５）とを係合させて、ブレードホルダ（５）を周期的運動させるように設定する運動トランスミッタ（７）を有するレール鋸（２）と、
連結構造（２７）を有し、
連結構造（２７）が、連結構造（２７）を被切断レール（９）にロックするためのレールコネクタ（２９）を備えたベース部（２８）と、レール鋸（２）を連結構造（２７）にロックするための鋸コネクタ（３１）を備えたガイドアーム（３０）を有し、
ガイドアーム（３０）が、鋸コネクタ（３１）にロックされたレール鋸（２）のレール（９）に対する第一のガイドされた近接離間運動（Ｉ）を許容するように、ベース部（２８）に対して移動自在に連結されている、現場での鉄道レール（９）の切断用ポータブル切断装置（１）であって、
ガイドアーム（３０）とブレードホルダ（５）との間に配置されて、ブレードホルダ（５）をガイドアーム（３０）に対して自律的且つ交互に前進後退動させるように構成された切断位置オルタネータ（４５）を有していることを特徴とするポータブル切断装置（１）。
【請求項２】
切断位置オルタネータ（４５）が、ガイドアーム（３０）の第一の運動（Ｉ）方向の平面に対してブレードホルダ（５）を平行な方向へ交互に移動（ＩＩ）させるように構成されている、請求項１に記載のポータブル切断装置（１）。
【請求項３】
切断位置オルタネータ（４５）が、ベース部（２８）に対するガイドアーム（３０）の回転の第一の支点（３９）から離間したガイドアーム（３０）の第二の支点（４０）を中心としたレール鋸（２）全体の交互回転運動を介して齎される切断ブレード（６）のアーチ状の軌跡を決定するようになっている、請求項２に記載のポータブル切断装置（１）。
【請求項４】
切断位置オルタネータ（４５）が、ガイドアーム（３０）とレール鋸（２）との間に機能的に介在されている、請求項１〜３の何れか一項に記載のポータブル切断装置（１）。
【請求項５】
鋸コネクタ（３１）が、交互運動（ＩＩ）を切断位置オルタネータ（４５）からレール鋸（２）へ伝達するように構成されている、請求項１〜４の何れか一項に記載のポータブル切断装置（１）。
【請求項６】
切断位置オルタネータ（４５）が、レール鋸（２）のトランスミッタ（７）に接続された動力取り出し装置（４７）とトルク抵抗で係合するようになっている駆動シャフト（４６）を介して駆動する偏心カム又はデスモドロミック・カムを採用したオルタネータである、請求項１〜５の何れか一項に記載のポータブル切断装置（１）。
【請求項７】
位置オルタネータ（４５）が、交互運動（ＩＩ）に対する予め定められた抵抗力が生ずるまで交互運動（ＩＩ）を実施するように構成され、その抵抗力を越えると、交互運動ＩＩの伝達から解放されるようになっている、請求項１〜６の何れか一項に記載のポータブル切断装置（１）。
【請求項８】
ベース部（２８）に対するガイドアーム（３０）の第一のガイドされた運動（Ｉ）が、切断ブレード（６）の切断面に対して平行な回転運動である、請求項１〜７の何れか一項に記載のポータブル切断装置（１）。
【請求項９】
ガイドアーム（３０）が、レール鋸（２）をレール（９）の両側に位置させて駆動させるために、ベース部（２８）に対して反転可能に構成されている、請求項１〜８の何れか一項に記載のポータブル切断装置（１）。
【請求項１０】
ベース部（２８）に対するガイドアーム（３０）の移動路に沿ったレール鋸２の向きを決定するための、関節接合された四辺形状体（３０，３２）を含んでいる、請求項１〜９の何れか一項に記載のポータブル切断装置（１）。
【請求項１１】
鋸コネクタ（３１）が、ガイドアーム（３０）の自由端（４１）の近傍に配置され、レール鋸（２）のセンタリング・カップリング座部（４３）と係合するようになっているセンタリング・カップリング部（４２）と、センタリング・カップリング部（４２）をセンタリング・カップリング座部（４３）と係合させるように引き寄せるための止めねじ（４４）を有している、請求項１〜１０の何れか一項に記載のポータブル切断装置（１）。
【請求項１２】
センタリング・カップリング座部（４３）が、レール鋸（２）の両側に形成されて、レール鋸（２）をその両側の一方又は他方においてガードアーム（３０）と接続させることを可能にさせるように構成されている、請求項１１に記載のポータブル切断装置（１）。
【請求項１３】
連結構造（２７）のベース部（２８）とガイドアーム（３０）との間に配置されたスプリング−ダンパーユニット（４８）を有している、請求項１〜１２の何れか一項に記載のポータブル切断装置（１）。
【請求項１４】
運動トランスミッタ（７）が速度伝達比アジャスター（８）を有し、該アジャスター（８）が、モータ出力部材（４）の周期的運動速度（ω＿ｍ）の既定の減速に応えて、速度伝達比（ω＿ｍ／ω＿ｐｈ）を増加させることにより、モータ（３）の出力部材（４）の周期的運動速度（ω ｍ）に対するブレードホルダ（５）の周期的運動速度（ω ｐｈ）を減速させるように構成されている、請求項１〜１３の何れか一項に記載のポータブル切断装置（１）。
【請求項１５】
速度伝達比アジャスター（８）が、モータ（３）の出力部材（４）の周期的運動速度（ω＿ｍ）の既定の増速に応えて、速度伝達比（ω ｍ／ω＿ｐｈ）を低減させ、それにより、モータ（３）の出力部材（４）の周期的運動速度に対するブレードホルダ（５）の周期的運動速度（ω＿ｐｈ）を増速させるように構成されている、請求項１４に記載のポータブル切断装置（１）。
【請求項１６】
モータ（３）の出力部材（４）の周期的運動とブレードホルダ（５）の周期的運動が、回転運動である、請求項１４又は１５に記載のポータブル切断装置（１）。
【請求項１７】
運動トランスミッタ（７）が、駆動シャフト（４）に接続されたモータプーリー（１０）と、ブレードホルダシャフト（５）と一体となって回転するようブレードホルダシャフト（５）に接続された従動プーリー（１１）と、モータプーリー（１０）と従動プーリー（１１）とに巻回されたベルト（１２）を有し、モータープーリー（１０）が、遠心力を介して直径が調整可能な第一のベルト座部（１６）を有している、請求項１４〜１６の何れか一項に記載のポータブル切断装置（１）。
【請求項１８】
従動プーリー（１１）が、ベルト（１２）の張力に従って、従動プーリー（１１）の第二のベルト座部（２２）の直径が調整されるように構成され、ベルト（１２）の張力が増大するにつれて、従動プーリー（１１）の第二のベルト座部（２２）の直径が減少し、ベルト（１２）の張力が減少するにつれて、従動プーリー（１１）の第二のベルト座部（２２）の直径が増大するようになっている、請求項１７に記載のポータブル切断装置（１）。
【請求項１９】
モータープーリー（１０）が、
互いに一体となって、傾斜した両側面（１７）を備えた第一のベルト座部（１６）を区画する第一の半プーリー（１４）と第二の半プーリー（１５）と、
校正された質量を備えた二つ以上のスラスト体（１８）を有し、
第二の半プーリー（１５）が、第一のベルト座部（１６）とベルト（１２）とを径方向外方又は内方向へ移動させるように、第一の半プーリー（１４）に対して移動可能に構成され、
スラスト体（１８）が、二つの半プーリー（１４，１５）の少なくとも一方のスラスト面（２０）とプーリーの傍に位置する固定部材に形成された当接面（２１）とにより形成されるスラスト座部（１９）内に収容され、それらスラスト面（２０）と当接面（２１）とが、スラスト体（１８）の遠心推力をそれに対応した半プーリー（１４，１５）の相対的な運動に変換させるように構成されている、請求項１７又は１８に記載のポータブル切断装置（１）。
【請求項２０】
従動プーリー（１１）が、
互いに一体となって、第二のベルト座部（２２）を区画する第一の半プーリー（２３）と第二の半プーリー（２４）と、
スプリング（２６）を有し、
第二の半プーリー（２４）が、第二のベルト座部（２２）とベルト（１２）とを径方向外方又は内方向へ移動させることができるように、第一の半プーリー（２３）に対して移動可能に構成され、スプリング（２６）が第二の半プーリー（２４）に常時作用して、ベルト（１２）の張力に抗して、第二のベルト座部（２２）とベルト（１２）を径方向外周方向へ付勢している、請求項１８又は１９に記載のポータブル切断装置（１）。
【請求項２１】
従動プーリー（１１）の第二のベルト座部（２２）が、弾発伸張可能に構成され、ベルト締め付け手段として機能する、請求項１７に記載のポータブル切断装置（１）。
【発明の詳細な説明】
【技術分野】
【０００１】
本発明は、鉄道レールを現場（ｉｎ  ｓｉｔｕ）で切断する（ｔｒｕｎｃａｔｅ）ためのポータブル切断装置に関するもので、この装置は、レール鋸と連結構造とを有している。レール鋸は、周期的運動出力部材を備えたモータと、切断ブレードを支持するように構成されたブレードホルダと、モータの出力部材とブレードホルダとを接続させてブレードホルダが周期的運動をするように設定することにより切断ブレード自体が鉄道レールを切断することを可能にさせるトランスミッタを有している。連結構造は、レールコネクタと、鋸の動きをガイドすると共に鉄道レールの切断作業を助長する鋸コネクタとを有している。
【０００２】
上述したタイプの公知のレール鋸は、移動する切断ブレードが作業員の手元直近に存在して、多量のスパーク及び摩耗くずを発生させるため危険であり、また、作業員の身体にとって害を及ぼすような作業姿勢を余儀なくさせて、作業員の筋肉及び骨構造を疲労の伴う作業に晒してしまうこととなる。
【０００３】
従って、本発明の目的は、従来技術に関連して上述したような不都合を回避することの可能な特徴を有するようなタイプの、鉄道レールを現場で切断するためのポータブル切断装置を提供することにある。
【０００４】
本発明の特有な目的は、支援を必要としない、換言すると、作業員が直接に連続して装置を保持することなく、現場でレールを切断することを可能にさせる、鉄道レールの切断用ポータブル装置を提供することにある。
【０００５】
これらの目的及びその他の目的は、本願の特許請求の範囲の請求項１に記載の、現場での鉄道レールの切断用ポータブル装置によって達成される。
【０００６】
本発明の一側面によれば、現場での鉄道レールの切断用ポータブル装置は、
周期的運動出力部材を備えたモータと、切断ブレードを支えるように構成されたブレードホルダと、モータの出力部材とブレードホルダとを接続させてブレードホルダが周期的運動をするように設定する運動トランスミッタとを有するレール鋸と、
連結構造と、
切断位置オルタネータ（ｓａｗｉｎｇ  ｐｏｓｉｔｉｏｎ  ａｌｔｅｒｎａｔｏｒ）を有し、
前記連結構造が、被切断レールに連結構造をロックさせるためのレールコネクタを備えたベース部と、連結構造にレール鋸をロックさせるための鋸コネクタを備えたガイドアームとを有し、
レール鋸がレールに対して近接離間動する如き第一のガイドされた運動をすることを許容するようにガイドアームがベース部に移動自在に接続され、
切断位置オルタネータが、ガイドアームとブレードホルダとの間に配置されて、ガイドアームに対してブレードホルダを自律的且つ交互に前進後退動させるように構成されている。
【０００７】
これにより、交互の切断運動を自律的に生じさせて、支援を必要としない（換言すると、作業員の直接的な介入なしの）ポータブル切断装置を介しての現場でのレールの切断を許容して、作業員の健康に対する被害及びその他負傷のリスクを実質的に低減させることができる。更に、このように構成されたポータブル切断装置は、熟練し及び資格のある人材を必要せず、又、特に、作業員の体力も必要としない。
【０００８】
本発明をより明確に理解し且つ本発明の利点を的確に認識することができるようにするべく、本発明を何ら制限するものではない幾つかの実施形態について、添付図面を参照して以下に説明する。
【図面の簡単な説明】
【０００９】
【図１】図１は、保護カバーの一部が除去されている、第一の運転状態にある、本発明の一実施形態に係る切断装置の部分側面図である。
【図２】図２は、第二の運転状態にある、図１に図示の切断装置を示した図である。
【図３】図３は、第一の運転状態にある切断装置の、図１中のＩＩＩ−ＩＩＩ線部分断面図である。
【図４】図４は、第二の運転状態にある切断装置の、図２中のＩＶ−ＩＶ線部分断面図である。
【図５】図５は、第一の運転状態にある切断装置の、図１中のＶ−Ｖ線断面図である。
【図６】図６は、第二の運転状態にある切断装置の、図２中のＶＩ−ＶＩ線断面図である。
【図７】図７は、第一の運転状態にある、図１図示の切断装置の斜視図である。
【図８】図８は、第二の運転状態にある、図１図示の切断装置の斜視図である。
【図９】図９は、本発明の別の実施形態に係る切断装置の斜視図である。
【図１０】図１０は、図９に示した切断装置の細部を示した斜視図である。
【図１１】図１１は、図９に示した切断装置の更なる細部を示した側面図である。
【図１２】図１２は、図９に示した切断装置を上方から視た図である。
【図１３】図１３は、図９に示した切断装置の細部を上方から視た図である。
【発明を実施するための形態】
【００１０】
添付図面を参照すると、鉄道レールを現場で切断するためのポータブル切断装置が参照符号１で示されている。この装置１は、周期的運動出力部材４（例えば、駆動シャフト）を備えたモータ３（例えば、内燃機関又は電動機）と切断ブレードを支えるように構成されたブレードホルダ５（例えば、切断ブレード６を支持する回転ブレードホルダシャフト）とを有するレール鋸２を含んでいる。
【００１１】
本明細書においては、用語「切断ブレード」とは、例えば、鋸歯状刃，研磨刃，ディスク状刃，長尺な刃等、材料の除去を介して鋼を切断するように構成された全てのタイプの切断ブレードを含むものとして解釈される。
【００１２】
レール鋸２は、更に、モータ３の出力部材４とブレードホルダ５とを接続させて、ブレードホルダ５に周期的な運動、好ましくは、回転運動をさせるように設定するための運動トランスミッタ７（例えば、ベルト伝動装置）を有している。これに代えて、モータ３の出力部材４とブレードホルダ５の周期的運動を直線状又は曲線状の往復運動として構成することができる。
【００１３】
本発明の一実施形態（図１〜図８）によれば、運動トランスミッタ７は、速度伝達比アジャスター（ｔｒａｎｓｍｉｓｓｉｏｎ  ｒａｔｉｏ  ａｄｊｕｓｔｅｒ）８を有し、このアジャスター８は、モータ出力部材４の周期的運動速度（詳しくは、それの角速度ω＿ｍ）の既定の減速に応えて、速度伝達比（駆動シャフトの角速度／ブレードホルダシャフトの角速度＝ω＿ｍ／ω＿ｐｈ）を増加させることにより、モータ３の出力部材４の周期的運動速度ω ｍに対するブレードホルダ５の周期的運動速度ω ｐｈを減速させる。
【００１４】
こうして、切断ブレードとレールとの間の抵抗によって齎される抵抗モーメントの既定の増加をモータが感知した時に、速度伝達比の変化によって、モータに作用する抵抗トルクを低減させ、そのため、モータ速度の好ましくない減速の少なくとも一部を自動的に補償する。
【００１５】
本発明の別の実施形態によれば、速度伝達比アジャスター８は、モータ３の出力部材４の周期的運動速度ω＿ｍの既定の増速に応えて、速度伝達比ω ｍ／ω＿ｐｈを低減させ、それにより、モータ３の出力部材４の周期的運動速度に対するブレードホルダ５の周期的運動速度ω＿ｐｈを増速させるように構成されている。
【００１６】
このような特徴があるために、切断装置１は、切断ブレード６の進行的摩耗に応じたモータ速度の望ましくない増速を補償する。実際に、切断ブレード６の摩耗は、切断ブレードの直径と周方向の切断長さを減少させる結果となり、従って、それは、切断ブレード６の回転毎の切断ブレード６とレール９との間での切断運動を低減させる結果となる。切断運動のこの低減は、モータ３に作用する抵抗モーメントを低減させて、その結果、モータ自体の速度を増速させることとなる。速度伝達比アジャスターは、モータに作用する抵抗トルクが増大された結果で速度伝達比を低下させることによりモータ速度の斯かる増速に反応して、モータ速度の増速を少なくとも部分的に補償し、（切断ブレードの摩耗に起因する切断運動の低減を補償するために）切断ブレードの運動速度を増速させる。
【００１７】
本発明の一実施形態によれば、運動トランスミッタ７は、駆動シャフト４と一体となって回転するよう駆動シャフト４に接続されたモータプーリー１０と、ブレードホルダシャフト５と一体となって回転するようブレードホルダシャフト５に接続された従動プーリー１１と、傾斜した両側部を備えた、より詳しくは、台形の断面を有したベルト１２を有している。ベルト１２は、モータプーリー１０と従動プーリー１１とに巻回されて、モータ運動を既定比率で切断ブレード６へ伝達する。
【００１８】
ブレードホルダシャフト５は、レール鋸２のモータキャビティ１４に接続された支持アーム１３によって回転自在に支持されている。
【００１９】
モータプーリー１０は、第一の半プーリー１４と第二の半プーリー１５とを有し、これらプーリーが一体となって、傾斜した両側面１７を有する第一のベルト座部１６を区画する。第二の半プーリー１５は、第一の座部１６の傾斜した両側面１７を近接及び互いに離間させて第一のベルト座部１６とベルト１２とを径方向外方又は内方へ移動させるように、第一の半プーリー１４に対して軸線方向（駆動シャフトの軸に対する軸線方向）へ移動可能に構成されている。有益なことに、第一の半プーリーと第二の半プーリーとの間の相対的な位置、従って、第一のベルト座部１６の直径は、駆動シャフト４の角速度ω＿ｍに従って生ずる遠心力を介して調整される。
【００２０】
この目的のために、校正された質量を備えた二つ以上のスラスト体１８を設けることができる。それらスラスト体１８は、二つの半プーリー１４，１５の少なくとも一方のスラスト面２０と図３及び４中でプーリーの右側に位置する固定部材に形成された当接面２１とにより形成される専用のスラスト座部１９内に収容されている。それらスラスト面２０と当接面２１とは、スラスト体１８の遠心推力をそれに対応した半プーリー１４，１５の相対的な（軸線方向の）運動に変換させるように構成されている。
【００２１】
図３及び図４に図示した実施形態によれば、第一の半プーリー１４は、モータ側に固定的に配置され、第二の半プーリー１５は、軸線方向に移動可能に構成され、スラスト体１８の遠心推力が、（ベルト１２の張力に抗して）第二の半プーリー１５を第一の半プーリー１４に向けて移動させる傾向にあって、第一のベルト座部１６とベルト１２を、例えば、径方向内方の停止位置（モータオフ、クラッチ解放、又は、速度伝達比の変化を活発にさせるには不十分なモータ速度、図２，４，６及び８参照）から径方向外方の初期位置（モータオン、クラッチ係合、例えば、切断ブレードとレールとが圧接していない時における、速度伝達比の変化を活発にさせるのに十分なモータ速度、図１，３，５及び７参照）へ搬送させる。
【００２２】
切断作業中にモータ３が高い抵抗モーメントを感知した時に、モータは減速して、スラスト体１８の遠心推力を低下させる。その結果、ベルト１２の張力が、スラスト体１８の遠心推力に打ち勝って、二つの半プーリー１４，１５を分解させて、ベルト１２と共に第一のベルト座部１６を径方向外方の初期位置から第一の径方向内方の補償位置（図２，４，６及び８参照）へ移動させて、ブレードホルダ５の速度に対する駆動シャフト４の速度を増速させて、モータのジャミング（ｊａｍｍｉｎｇ）やチョーキング（ｃｈｏｋｉｎｇ）を回避する。
【００２３】
同様に、直径が結果的に減少した切断ブレード６の高レベルの摩耗に伴って、モータ３は、低減された抵抗モーメントを感知して、速度を上げる。これにより、スラスト体１８の遠心推力を増大させる結果となり、ベルト１２と共に第一のベルト座部１６を、径方向内方の位置から第二の径方向外方の補償位置（図１，３，５及び７参照）に移動させて、ブレードホルダ５の速度に対する駆動シャフト４の速度を減速させ、モータ速度を増速させると共に切断ブレード６の周速を低下させる。
【００２４】
速度伝達比ω＿ｍ／ω＿ｐｈのこの自動的な調整の有効性は、モータプーリー１０の直径の変化、即ち、第一のベルト座部１６の直径の変化に起因するベルト１２の張力の変化を利用して、従動プーリー１１の直径をモータプーリー１０の直径の変化に対する逆の変化に変えることにより、更に向上させることができる。
【００２５】
この目的のために、ベルト１２の張力に従って、直径が調整されるように構成される従動プーリー１１、即ち、その従動プーリーの第二のベルト座部２２の直径を調整することを想定することができる。そのため、（モータプーリー１０の第一のベルト座部１６の直径の増加に対応して）ベルト１２の張力が増大するにつれて、従動プーリー１１の第二のベルト座部２２の直径が減少し、（モータプーリー１０の第一のベルト座部１６の直径の減少に対応して）ベルト１２の張力が減少するにつれて、従動プーリー１１の第二のベルト座部２２の直径が増大する。
【００２６】
本発明の一実施形態（図３及び４）によれば、従動プーリー１１は、第一の半プーリー２３と第二の半プーリー２４とを有し、これら半プーリー２３，２４は、一体となって、傾斜した両側面２５を備えた第二のベルト座部２２を区画する。第二の半プーリー２４は、第二のベルト座部２２の傾斜した両側面２５を近接及び互いに離間させて第二のベルト座部２２とベルト１２とを径方向外方又は内方向へ移動させることができるように、第一の半プーリー２３に対して軸線方向（ブレードホルダシャフト５の軸に対する軸線方向）へ移動可能に構成されている。コイルスプリング２６が、第二の半プーリー２４に常時作用して、第二のベルト座部２２の傾斜した両側面２５を、第二のベルト座部２２とベルト１２が径方向外周上に位置することとなる、第二のベルト座部２２の傾斜した両側面２５が相対的に一体にされる位置の方向へ付勢している。従動プーリー１１の第一の半プーリー２３と第二の半プーリー２４との間の相対的な位置、従って、第二のベルト座部２２の直径は、ベルト１２の張力及びスプリング２６の弾性力とベルトの両側部の角度との比率に従って調整されている。
【００２７】
弾発伸張可能な第二のベルト座部２２を備えた従動プーリー１１は、ベルト締め付け装置としての機能をも発揮するため、ベルト１２を締結するための更なる装置を設けることを全く回避することができる。例えば、上述した従動プーリー１１のように構成された弾発伸張可能なプーリーのベルト締め付け機能は、速度伝達比アジャスターのコンセプトとは個別の有益で且つ創意に富んだものと考えられ、速度伝達比アジャスターを備えていない切断装置において実現させることができる。
【００２８】
本発明を何ら限定するものではない例として、速度伝達比は、毎分約１００００回転速度の内燃機関に関して、ω＿ｍ／ω＿ｐｈ＝１．８…３．２の範囲内、好ましくは、ω＿ｍ／ω＿ｐｈ＝２…３の範囲内で、有効的には変化させることができるが、それは、用いられるモータのタイプ及びその回転速度に明らかに依存する。
【００２９】
本発明の更に別の実施形態によれば、クラッチ５１（図３）が駆動シャフトとモータプーリー１０との間に介装されているので、クラッチの解放で、速度伝達比アジャスター８を備えたトランスミッタ７全体が、モータから分離して停止する。これにより、これらの部品の摩耗を低減させて、稼働寿命を長くさせることができる。
【００３０】
自動速度伝達比アジャスターが存在していることと、従来技術に関連して上述した望ましくない不都合を結果として自動的に補償することにより、高い精度で切断することができる。
【００３１】
本発明の別の実施形態（図９〜図１３）によれば、切断装置１は、レールコネクタ２９を備えたベース部２８と鋸コネクタ３１を備えたガイドアーム３０とを有する連結構造２７を有し、レールコネクタ２９は連結構造２７を被切断レール９に固定させるためのもので、鋸コネクタ３１はレール鋸２を連結構造２７に固定させるためのものである。ガイドアーム３０は、レールコネクタ２９が固定されるレール９に対して近接及び離間動する、鋸コネクタ３１に固定されるレール鋸２の（図１０中に矢印Ｉで示した）第一のガイドされた移動を許容するようにベース部２８に移動可能に連結されている。
【００３２】
これは、一方で、レール９に対する切断ブレード６の位置と移動の方向を機械的に決定することを可能にして、高い精度の切断を実現させ、他方、レール９の切断中にレール鋸２の重量の少なくとも一部をガイド支持することを可能にする。
【００３３】
ベース部２８に対するガイドアーム３０の第一のガイドされた動きＩは、好ましくは、回転運動（ガイドアーム３０は、ベース部２８にヒンジ付けされる）であるが、それに代えて、直線状又は曲線状の並進運動（ガイドアーム３０は、ベース部２８に対してスライド自在に接続される）であってもよい。
【００３４】
とにかく、ガイドアーム３０のそのようなガイドされた第一の動きは、切断ブレード６の切断面に平行となるように設定される。
【００３５】
有益的には、ガイドアーム３０は、レールからベース部２８を取り外すことなくレール９の両側でのレール鋸２の簡単な位置決めと駆動とを許容するようにベース部２８に対して反転可能に構成されている。
【００３６】
ガイドアーム３０のそのような反転は、第一のガイドされた動きＩを決定する支点３９を中心としたガイドアーム３０の回転を通じて実現することができる。
【００３７】
連結構造２７は、例えば、関節接合された四辺形状体を構成するようにガイドアーム３０及びベース部２８に関節接合された一つ又はそれ以上の数のオリエンテーションバー３２（図９）に対して、ガイドアームの移動路に沿ったレール鋸２の向きを決定するように構成された鋸方向付け手段を更に有している。
【００３８】
ガイドアーム３０が反転することを可能にするべく、オリエンテーションバー３２は、相互反転状態の双方においてレール鋸２の正確な方位を決定するように予め定められた二つの異なった位置の間で移動可能なオリエンテーションプレート３３を介してベース部２８に関節接合されている。
【００３９】
レールコネクタ２９は、固定顎３５と固定顎３５にヒンジ付けされた可動顎３６とを備えたクランプ万力３４を含んでいてもよく、可動顎３６は、可動顎３６と固定顎３５の反応部３８との間に作用する、ハンドルを備えた止めネジ３７によってレール９に対して係合させられる。
【００４０】
鋸コネクタ３１は、ガイドアーム３０の自由端４１の近傍に配置することができ、レール鋸２のセンタリング・カップリング座部４３（例えば、ピン座部と回転防止カップリング面）と係合するようになっているセンタリング・カップリング部４２（例えば、センタリングピンと回転防止カップリング面）と、センタリング・カップリング部４２をセンタリング・カップリング座部４３と係合させるように引き寄せるための止めねじ４４を有していてもよい。
【００４１】
本発明の一側面によれば、ポータブル切断装置１は、切断位置オルタネータ４５（以下、「位置オルタネータ」と言う）を含み、この位置オルタネータ４５は、ガイドアーム３０とブレードホルダ５との間に介装されて、ブレードホルダ５をガイドアーム３０に対して自律的に（図９及び１０中に矢印ＩＩで示したように）交互に前進後退動させるように構成されている。
【００４２】
切断装置１のこの構成によって、交互の切断運動を自律的に生じさせて、このポータブル装置を介して、支援を必要としない（換言すると、作業員の直接的な介入のない）現場でのレールの切断を可能にさせる。これは、作業員の体に害を及ぼすような作業姿勢，多くのスパーク及び摩耗粉の発生、及び、移動切断ブレードが手元直近に存在していることに起因する作業員の健康に対する被害及びその他負傷のリスクを実質的に低減させることができる。このように構成されたポータブル切断装置は、経験豊富で熟練した労働力を必要せず、又、特に、作業員の体力も必要としない。
【００４３】
位置オルタネータ４５によって齎されるブレードホルダ５の交互の動きＩＩは、ガイドアーム３０の第一の動きＩの平面と平行であって、第一の支点３９から離間した、ガイドアーム３０の第二の支点４０（図９及び１０）を中心としたレール鋸２全体の交互回転運動を介して齎される切断ブレード６のアーチ状の軌跡を決定する。
【００４４】
それに代えて、ブレードホルダ５の交互運動ＩＩは、直線状、又は、曲線と組み合わさった直線状の軌跡に沿って起こるものであってもよい。
【００４５】
このように構成された切断装置１は、ベース部２８に対するガイドアーム３０の上述した第一の運動Ｉとガイドアーム３０に対するブレードホルダ５の上記第二の交互運動ＩＩとが組み合わさった、レールの切断運動を自律的に実施する。
【００４６】
本発明の一実施形態によれば、位置オルタネータ４５は、ガイドアーム３０とレール鋸２との間に、換言すると、それのセンタリング・カップリング座部４３に機能的に配置されている。
【００４７】
有益なことに、鋸コネクタ３１は、交互運動ＩＩを位置オルタネータ４５からレール鋸２に伝達する。
【００４８】
有益なことに、オルタネータ４５自体は、鋸コネクタ３１から突出して動力取り出し装置４７、好ましくは、プーリーとねじり剛性態様（トルク抵抗）で係合するのに好適な駆動シャフト４６を介して駆動されるカム、好ましくは、偏心カム、更に好ましくは、デスモドロミック・カム（ｄｅｓｍｏｄｒｏｍｉｃ  ｃａｍ）５０（図１１）を採用したオルタネータであり、動力取り出し装置４７は、レール鋸２のトランスミッタ７と接続されている。こうして、位置オルタネータ４５の作動のための運動エネルギーは、トランスミッタ７を介してモータ３から得られる。
【００４９】
図１１に示した実施形態によれば、駆動シャフト４６の回転運動は、一連のギアを介して、偏心カム５６を備えた歯車５５に伝達され、偏心カム５６は、カムフォロアー５７に係合して（カムフォロアー５７を交互に移動させ）、そのカムフォロアー５７はセンタリング・カップリング部４２に接続される。カムフォロアー５７は、スプリング５８の弾性力に抗して離間動して、移動に対する高い抵抗が生じた場合に位置オルタネータの弾発的分離を許容することの可能な二つの部分を有している。
【００５０】
動力取り出しプーリー４７とトランスミッタ７のベルト１２との効果的なカップリングを確実にするべく、トランスミッタ７は、ベルト１２と動力取り出しプーリー４７との接触長さを長くさせるように動力取り出しプーリー４７の近傍に配置されたリターンプーリー４９を更に含んでいてもよい。
【００５１】
デスモドロミック・カム機構が存在するために、位置オルタネータ４５は、交互運動ＩＩに対する予め定められた抵抗力が生ずるまで交互運動ＩＩを実施するように構成され、その抵抗力を越えると、位置オルタネータ４５は、交互運動ＩＩの伝達から解放され、そのため、過剰に高い機械的抵抗力に起因する切断装置１に対する損傷を回避することができる。
【００５２】
有益なことに、センタリング・カップリング座部４３は、レール鋸２の両側に形成され、及び／又は、オルタネータ４５の駆動シャフト４６は、レール鋸２の両側において動力取り出し装置４７と係合することができて、レール鋸２をその両側の一方又は他方においてガードアーム３０と接続させることを可能にし、そのことが、ガイドアーム３０を反転させ、レールの両側での連続した切断作業を行う場合に役立つ。
【００５３】
レール鋸２とガイドアーム３０の重量の一部をオフセットするために、及び、切断ブレード６が跳ね上がったり又は裂けたりすることのなく可能な限り連続した運動をすることを促進させるために、連結構造２７のベース部２８とガイドアーム３０との間にサスペンション又はスプリング−ダンパーユニット４８を配置することを想定することができる。
【００５４】
サスペンション４８は、ガイドアーム３０の反転位置に従って、二つのストップ部５４に夫々支えられるように構成された連結ロッド２５を介してベース部２８に連結されている。
【００５５】
上述した切断装置の各実施形態及びその特徴が、従来技術に鑑みて、それ自体有益であり、特に、実施の容易性と、切断の正確性と、装置の耐久性と、作業員の健康の保護及び装置１の使い勝手の良さ及び可搬性との相乗効果の点において有益である。
【図１】
0005532364.tif 000002
【図２】
0005532364.tif 000003
【図３】
0005532364.tif 000004
【図４】
0005532364.tif 000005
【図５】
0005532364.tif 000006
【図６】
0005532364.tif 000007
【図７】
0005532364.tif 000008
【図８】
0005532364.tif 000009
【図９】
0005532364.tif 000010
【図１０】
0005532364.tif 000011
【図１１】
0005532364.tif 000012
【図１２】
0005532364.tif 000013
【図１３】
0005532364.tif 000014